(57)【特許請求の範囲】
【請求項１】
電柱（７）に対して着脱自在に取り付けられるべく、湾曲自在な素材からなる本体（１）の一端側に係止部（３）が設けられる一方、前記本体（１）の他端側には、前記係止部（３）に着脱自在に係止される被係止部（４）が設けられ、かつ、前記被係止部（４）は、個々に分離可能な複数の被係止片（４ａ）を連続状に備え、さらに、前記本体（１）には、伸縮自在な張力発生部（５）を設けてある電柱用バンドであって、
前記係止部（３）は、断面が略Ｃ字状に形成されると共に、上部開口（３Ａ）が前記被係止部（４）を抵抗なく挿入できる大きさに形成され、
前記係止部（３）の下部には、底板（３ｂ）が設けられ、
前記係止部（３）のＣ字開放端近傍の内側には、前記張力発生部（５）で発生される張力により引き込まれる前記被係止片（４ａ）を押圧状態に当接させることで、前記被係止片（４ａ）を抜け止め状態にする係止壁（３ｃ）（３ｃ）が設けられ、
前記係止部（３）の前記上部開口（３Ａ）には、前記被係止片（４ａ）が前記係止壁（３ｃ）（３ｃ）に押圧状態に当接された際に、前記被係止片（４ａ）の外れを防止するための外れ止め（３ａ）（３ａ）となる抜け止め突縁部が形成されることを特徴とする電柱用バンド。
【請求項２】
前記被係止片（４ａ）（４ａ）間には、前記被係止片（４ａ）の分離を容易とするための切り溝（ｇ）が形成されていることを特徴とする請求項１に記載の電柱用バンド。
【請求項３】
前記係止部（３）の内面には、前記被係止部（４）の切り溝（ｇ）が形成されている箇所に対応した位置に、凹状部が上下方向に沿って形成されていることを特徴とする請求項２に記載の電柱用バンド。
【請求項４】
本体（１）の裏面が凹凸状又は粗面状に形成されることを特徴とする請求項１乃至３の何れか１項に記載の電柱用バンド。
【発明の詳細な説明】
【技術分野】
【０００１】
本発明は、電柱に巻き付け固定される電柱用バンドに係り、詳しくは住居表示や案内標示、注意書き、広告、宣伝等の各種標示を行うための標示部を備えた電柱用バンドや、各種標示板を電柱に取り付けるための固定用の電柱用バンド、無断で行われる貼り紙を防止するためのカバーシートを電柱に取り付けるための固定用の電柱用バンド等々に関する。
【背景技術】
【０００２】
電柱に取り付けられる標示板は、従来、例えば、板金材からなる標示板では番線等で縛りつけたり、柔軟性のあるシート材からなる標示板では接着剤で貼り付けたりして取り付けられていた。また、貼り紙が無断で電柱に貼り付けられるのを防止するために、電柱に巻き付けたカバーシートを高熱収縮性繊維材からなる帯状体で固定することもあった（例えば、特許文献１参照）。あるいは、看板や標識等を電柱に取り付けるために、ワンタッチで電柱に巻き付けて固定できる取付用環状金具が用いられることもあった（例えば、特許文献２参照）。
【０００３】
【特許文献１】特開平６−１７８４２６号公報
【特許文献２】特開平８−１４５０１４号公報
【発明の開示】
【発明が解決しようとする課題】
【０００４】
しかし、板金材からなる標示板を番線等で電柱に縛り付けて固定する場合には、接触による脱落や怪我が発生する虞があり、接着剤で電柱に直接貼り付ける場合には、不要になったときに剥がすのが容易でないという問題があった。また、高熱収縮性繊維材からなる帯状体を用いる場合（特許文献１）、仮止めテープを用いたり、ドライヤー等の加熱手段が必要とされるため、その取付作業が大変面倒であった。そして、ワンタッチ式の取付用環状金具（特許文献２）では、構造が複雑で、その金具自体が高価である上に、看板や標識等が電柱から突出した状態に取り付けられるため、それらに接触して怪我が発生することも懸念される。
【０００５】
本発明は、このような実情に鑑みてなされ、電柱に沿わせた状態に容易に取り付けることができ、かつ、取り外しも容易で、安価な電柱用バンドを提供することを目的とする。
【課題を解決するための手段】
【０００６】
本発明の電柱用バンドは、電柱７に対して着脱自在に取り付けられるべく、湾曲自在な素材からなる本体１の一端側に係止部３が設けられる一方、前記本体１の他端側には、前記係止部３に着脱自在に係止される被係止部４が設けられ、かつ、前記被係止部４は、個々に分離可能な複数の被係止片４ａを連続状に備え、さらに、前記本体１には、伸縮自在な張力発生部５を設けてある電柱用バンドであって、前記係止部３は、断面が略Ｃ字状に形成されると共に、上部開口３Ａが前記被係止部４を抵抗なく挿入できる大きさに形成され、前記係止部３の下部には、底板３ｂが設けられ、前記係止部３のＣ字開放端近傍の内側には、前記張力発生部５で発生される張力により引き込まれる前記被係止片４ａを押圧状態に当接させることで、前記被係止片４ａを抜け止め状態にする係止壁３ｃ，３ｃが設けられ、前記係止部３の前記上部開口３Ａには、前記被係止片４ａが前記係止壁３ｃ，３ｃに押圧状態に当接された際に、前記被係止片４ａの外れを防止するための外れ止め３ａ，３ａとなる抜け止め突縁部が形成されることを特徴とする。
【０００７】
このような構成によれば、被係止片４ａを適宜切断分離して本体１の長さを電柱７の外径に合わせて調整し、本体１を電柱７に巻き付けて張力発生部５によって適度に張力を作用させた状態で最外側の被係止片４ａを係止部３に係止させることで、径の異なる電柱７にも密着状態に取り付けることができる。電柱７はテーパーを有しているため本体１は張力の作用下で安定な状態に保持される。このような電柱用バンドは、例えば、合成樹脂の一体成形により安価に提供することができる。また、本体１が電柱７に沿うように巻き付けられているため、通行人の障害になることはなく、また、不要になった場合でも容易に取り外すことができる。
【０００８】
そして、本発明の電柱用バンドによれば、前記係止部３は、断面が略Ｃ字状に形成される一方、前記被係止片４は、略円柱状に形成されている。これにより、例えば、合成樹脂材の一体成形等により製作容易となる。
【０００９】
また、本発明の電柱用バンドによれば、前記係止部３は、前記被係止片４ａの外れを防止するための外れ止め３ａ，３ａを有している。これにより、係止部３に被係止片４ａを安定な状態で係止させることができる。
【００１０】
さらに、本発明の電柱用バンドによれば、前記係止部３の下部には底板３ｂが設けられる一方、前記係止部３の上部開口３Ａには、前記外れ止め３ａ，３ａとなる抜け止め突縁部が形成されると共に、前記上部開口３Ａが、前記被係止部４ａを抵抗なく挿入できる大きさに形成され、かつ、前記係止部３のＣ字開放端近傍の内側には、抜け止め状態の前記被係止部４ａを押圧状態に当接させる係止壁３ｃ，３ｃが設けられている。これにより、被係止部４ａを係止部３に容易に係止させることができ、かつ、係止された被係止片４ａをより一層安定な状態で係止させておくことができる。
【００１１】
また、本発明の電柱用バンドにおいては、前記被係止片４ａ，４ａ間には、前記被係止片４ａの分離を容易とするための切り溝ｇが形成されていてもよい。このようにすれば、被係止片４ａの分離が容易となる。かかる切り溝ｇを形成しておくことで、切断しやすくなりナイフやハサミ等の切断工具で切断する場合にも切断箇所を誤るようなトラブルを少なくすることができる。
【００１２】
また、本発明の電柱用バンドにおいては、前記係止部３の内面には、前記被係止部４の切り溝ｇが形成されている箇所に対応した位置に、凹状部が上下方向に沿って形成されていてもよい。
【００１３】
また、本発明の電柱用バンドにおいては、本体１の裏面が凹凸状又は粗面状に形成されてもよい。
【発明の効果】
【００１６】
本発明の電柱用バンドは、被係止片を適宜切断分離することで本体の長さを電柱の外径に応じて調整することができるので、本体を電柱に巻き付けて張力発生部によって適度に張力を作用させた状態で最外側の被係止片を係止部に係止させることで、径の異なる電柱にも密着した状態で取り付けることができる。このような電柱用バンドは、例えば、合成樹脂の一体成形により安価に提供することができる。また、本体が電柱に沿うように巻き付けられているため、通行人の障害になることはなく、また、不要になった場合でも取り外しは容易である。
【発明を実施するための最良の形態】
【００１７】
以下に、本発明の最良の実施の形態に係る電柱用バンドについて図面を参照しつつ詳細に説明する。
図１は電柱用バンドを示し、（ａ）は正面図、（ｂ）は平面図、（ｃ）は係止部に被係止部が係止された状態の拡大断面図、（ｄ）は電柱に取り付けられた電柱用バンドの斜視図である。この電柱用バンドは、湾曲自在で弾発性を有する素材（プラスチック材等）からなる本体１の略中央部には広い面積の標示部２が設けられ、その本体１の一端側には係止部３が設けられ、他端側には、係止部３に着脱自在に係止される被係止部４が設けられており、その被係止部４は、個々に分離可能な複数の被係止片４ａを連続状に備え、さらに、標示部２と係止部３の間には、伸縮自在な張力発生部５が設けられている。
【００１８】
係止部３は、断面が略Ｃ字状に形成される一方、その係止部３に上方（又は下方）から差し込み係止される被係止片４ａは、例えば、円柱状に形成され、各被係止片４ａを所定の箇所で切断できるように各被係止片４ａ，４ａ間に切り溝ｇ，ｇが形成されており、その係止部３の上部および下部には、被係止片４ａの外れを防止するための小突起からなる外れ止め３ａ，３ａが設けられている。また、張力発生部５は、本体１を波形断面に折曲して形成される。このような係止部３と、複数の被係止片４ａからなる被係止部４、及び、張力発生部５は、例えば、本体１を合成樹脂材で一体成形する際に容易に形成することができる。
【００１９】
このような電柱用バンドは、例えば、合成樹脂の一体成形により製作して安価に提供することができる。電柱７に取り付けるには、まず、取り付け対象となる電柱７の外径に応じて被係止片４ａを適宜切断分離して本体１の長さを調整し、本体１を電柱７に巻き付けて張力発生部５によって適度に張力を作用させた状態で最外側の被係止片４ａを係止部３に係止させればよい。
【００２０】
その具体的な係止方法は、被係止片４ａを係止部３の上方（又は下方）からスライドさせて嵌め込むことによって行う。被係止片４ａを係止部３に嵌め込む際には、係止部３の上部に設けた外れ止め３ａ，３ｂが若干抵抗要素となるが、一旦、被係止片４ａの嵌め込みが完了すると、上下の外れ止め３ａ，３ｂによって被係止片４ａが挟まれた状態となるため係止部３から外れるのが防止される（図１（ｃ）参照）。電柱７は下方に沿って太くなるテーパー（１／７５）を有しているため本体１は重力と張力の作用下で安定な状態に保持される。
【００２１】
また、各被係止片４ａ，４ａ間には切り溝ｇ，ｇが形成されているので（図１（ｂ）参照）、切断しやすく、ナイフやハサミ等の切断工具で切断する場合にも切断箇所を誤るようなトラブルを少なくすることができる。そして、電柱７に取り付けられた状態では（図１（ｄ）参照）、本体１が電柱７に沿うように巻き付けられているため、通行人の障害になることはなく、また、不要になった場合でも、被係止片４ａを係止部３から抜き取れば、容易に取り外すことができる。
【００２２】
図２（ａ）（ｂ）は他の例を示し、（ａ）は、縦長状に形成した標示部２の両側に複数対の係止部３と被係止部４を設けたものであり、各係止部３と標示部２の間に張力発生部５を設けてある。このように、複数対の係止部３と被係止部４を設けることによって、本体１に標示部２の面積を広く設定しても保持力が強化されているため、電柱７に対して安定に保持させることができる。（ｂ）は、本体１に特に標示部２を設けることなく、本体１の全体を帯状に形成して、張力発生部５をやや長く形成し、より大きな張力を発生させることができるようにした例を示す。このような電柱用バンドは、図示は省略するが、例えば、住居表示板や案内標示板、注意書き、広告、宣伝等の各種標示板等を電柱に巻き付けてその上からこれらを固定したり、無断で行われる貼り紙を防止するためのカバーシートを電柱に巻き付けてその上から固定したりする等の用途に使用することができる。無論、本体１の一部に、例えば、「３丁目１５番」等の簡易な住居表示を施すこともできる。
【００２３】
図３（ａ）〜（ｃ）は、係止部３と被係止部４の他の例を示す。この例では、断面が略Ｃ字状に形成される係止部３の上部開口３Ａから抵抗なく球状の被係止片４ａを嵌め込むことができ、嵌め込んだ後は、張力によって被係止片４ａを係止壁３ｃ，３ｃに当接させて抜け止め突縁部（本発明の外れ止め）３ａ，３ａで抜け止め状態に保持されるようにしている。即ち、係止部３のＣ字状開放端の両内側に係止壁３ｃ，３ｃを形成すると共に、その上部には係止部３の上部開口３Ａの一部をなす抜け止め突縁部３ａ，３ａを形成して、その上部開口３Ａが、前記被係止部４ａを抵抗なく挿入できる大きさに形成されている。従って、係止部３ａに嵌め込まれた被係止片４ａは、張力発生部５で発生される張力によって、係止壁３ｃ，３ｃに引き込まれて押圧された状態となり、その下部が底板３ｂに着座する一方、上部が抜け止め突縁部３ａ，３ａによって抜け止めされた状態となり安定な係止状態が保持される。このような構成では、係止部３と被係止部４を高剛性に形成しても、容易に係止させることができるため、特に、強力な締め付け力が必要とされる固定用の電柱用バンドに好適である。
【００２４】
なお、本発明は、実施の形態に限定されることなく、発明の要旨を逸脱しない限りにおいて、適宜、必要に応じて、設計変更や改良等を行うのは自由であり、例えば、被係止片４ａの外れを防止するための外れ止め３ａは、被係止片４ａの外れを防止できればよく、その構成や形状の如何を問わない。被係止片４ａは、角柱状に形成されてもよく、その場合には、係止部３も角孔状に形成すればよい。係止部３又は被係止部４に、操作用のつまみ（図示省略）を突設してもよい。各被係止片４ａ，４ａ間に形成される切り溝ｇは、片側にのみ形成されてもよい。張力発生部５は、本体２にゴム材等の弾発部材を一体化させて形成してもよく、その場合、本体２の成形段階で一体化させてもよく、本体２の製作後に弾発部材を一体化させてもよい。本体２の裏面を細かい凹凸状乃至は粗面状に形成して、滑り止め作用を発揮させてもよい。
【図面の簡単な説明】
【００２５】
【図１】（ａ）は本発明の実施の形態に係る電柱用バンドの正面図、（ｂ）はその平面図、（ｃ）は係止部に被係止部が係止された状態の拡大断面図、（ｄ）は電柱に取り付けられた電柱用バンドの斜視図である。
【図２】（ａ）は電柱用バンドの他の例を示す正面図、（ｂ）は電柱用バンドの別の例を示す正面図である。
【図３】（ａ）は他の係止部の平面図、（ｂ）は（ａ）のＢ−Ｂ線矢視断面図、（ｃ）は係止部と被係止部の係止状態の平面図である。
【符号の説明】
【００２６】
１…本体、２…標示部、３…係止部、３Ａ…上部開口、３ａ…外れ止め、３ｂ…底板、３ｃ…係止壁、４…被係止部、４ａ…被係止片、５…張力発生部、７…電柱、ｇ…切り溝
【図１】
0004458540.tif 000002
【図２】
0004458540.tif 000003
【図３】
0004458540.tif 000004